【手続補正書】
【提出日】平成15年6月24日(2003.6.24)
【手続補正１】
【補正対象書類名】明細書
【補正対象項目名】特許請求の範囲
【補正方法】変更
【補正の内容】
【特許請求の範囲】
【請求項１】
受信機と、
送信機と、
該送信機及び受信機間のシリアルリンクであって、該送信機は、入力データを受信するために結合され、該入力データを符号化することによって選択されたコードワードのシーケンスを発生させるように構成され、かつ該選択されたコードワードのシーケンスを該シリアルリンクを通じて該受信機に送信するように構成され、該選択されたコードワードの各々はコードワードの全セットの耐エラーサブセットメンバーであり、該全セットは該コードワードの予め決められた互いに素の集団を含み、該入力データは該全セットの慣習的な一連のコードワードとして符号化されることが可能であり、選択されたコードワードの該シーケンスは、該リンクを通じて送信中シンボル間干渉に対して該慣習的な一連のコードワードより鈍感であるシリアルリンクとから成る通信システムであって、
該耐エラーサブセットは該全セットの選抜されたワードからなり、選抜されたワードではない該全セットの該コードワードは、非選抜されたコードワードであり、該選抜されたコードワードの各々は入力データ値を示し、該集団の各々は、少なくとも１つの該選抜されたワードからなる選抜されたワードセットを含み、該集団の少なくとも１つはまた該非選択ワードの少なくとも１つを含み、前記選抜されたワードセットの各々は異なった入力データ値を示し、該受信機は、該集団の1つのメンバーである各受信されたコードワードを、該集団の前記１つの選抜されたワードセットによって決定される該入力データ値にマップするように構成された通信システム。
【請求項２】
前記集団の各々は、該集団の選抜されたワードの1つの送信又は送信及び復号における少なくとも1つのビットエラーの結果として発生されそうな該非選抜されたワードの少なくとも１つを含む、請求項１のシステム。
【請求項３】
前記選抜されたワードセットの各々は、該選抜されたワードの１つかつ1つのみからなる、請求項１のシステム。
【請求項４】
前記集団の各々は、該集団の選抜されたワードの送信又は送信及び復号における少なくとも1つのビットエラーの結果として発生されそうである該非選抜されたワードの少なくとも１つをも含む、請求項３のシステム。
【請求項５】
該リンクは少なくとも1つのビデオチャンネルからなり、該送信機は該ビデオチャンネル通じてビデオデータ及び補助データを該受信機に送信するように構成され、該ビデオデータはコードワードの該全セットから決定され、該補助データは該選抜されたワードによって決定される、請求項１のシステム。
【請求項６】
該選抜されたワードは、該集団の任意の１つ内の任意の選抜されたワード及び該集団の任意の他の１つ内の任意の選抜されたワード間のハミング距離が閾値を超えるとの基準を満たす、請求項１のシステム。
【請求項７】
該選抜されたワードは、異なった該集団内の該選抜されたワード間のハミング距離が実際的程度まで最大化されるとの基準を満たす、請求項１のシステム。
【請求項８】
該送信機が、選択されたコードワードの該シーケンスを有する該シリアルリンクを通じてエラー訂正コードブロックを送信するように構成され、該受信機がまた、
該エラー訂正コードブロックを用いて、該集団のどのメンバーでもない少なくともいくつかの受信されたコードワードにつきエラー訂正を行うように構成されたエラー訂正回路素子を含み、該選抜されたワードは、異なった該集団内の該選抜されたワード間のハミング距離が実際的程度まで最小化されるとの基準を満たすようにされる、請求項１のシステム。
【請求項９】
該集団の1つの非選抜されたワードである各受信されたコードワードは、エラー含有ワードであり、該受信機は、前記エラー含有ワードの各々を、該集団の前記1つの該選抜されたワードセットによって決定された該入力データ値にマップすることによってエラー訂正を行うように構成される、請求項１のシステム。
【請求項１０】
該入力データが補助データであり、該送信機がビデオデータを受信するように結合されかつ該ビデオデータを符号化することによってビデオコードワードのシーケンスを発生させるように構成され、該送信機は、該ビデオコードワードの第２バーストによって後続される該選択されたコードワードのバーストによって後続される該ビデオコードワードの第１バーストを該シリアルリンクを通じて該受信機に送信するように構成され、該ビデオコードワードの各々がコードワードの該全セットのメンバーでありかつ該ビデオコードワードの少なくとも1つが該耐エラーサブセットのメンバーではないようにされる、請求項１のシステム。
【請求項１１】
該送信機がまた制御ビットを受信するように結合され、該制御ビットを符号化することによって符号化された制御ワードのバーストを発生させるように構成され、該ビデオデータの該第１バースト及び該選択されたコードワードの該バースト間の該符号化された制御ワードの第１バーストと、該選択されたコードワードの該バースト及び該ビデオコードワードの該第２バースト間の該符号化された制御ワードの第２バーストとを該シリアルリンクを通じて該受信機に送信するように構成される、請求項１０のシステム。
【請求項１２】
該選択されたコードワードが少なくとも1つのガードバンドワードを含み、該選択されたコードワードの該バーストが初期ワードを含み、該初期ワードが該ガードバンドワードである、請求項１１のシステム。
【請求項１３】
該選択されたコードワードが少なくとも1つのガードバンドワードを含み、該選択されたコードワードの該バーストがワードの初期セットを含み、ワードの該初期セットの各ワードが前記ガードバンドワードの１つである、請求項１１のシステム。
【請求項１４】
該選択されたコードワードが少なくとも１つのガードバンドワードを含み、該選択されたコードワードの該バーストが最終ワードを含み、該最終ワードが該ガードバンドワードである、請求項１１のシステム。
【請求項１５】
該選択されたコードワードが少なくとも１つのガードバンドワードを含み、該選択されたコードワードの該バーストがワードの最終セットを含み、ワードの該最終セットの各ワードが１つの前記ガードバンドワードである、請求項１１のシステム。
【請求項１６】
該シリアルリンクがＴＭＤＳリンクであり、該選択されたコードワードが、ガードバンドワードとして用いられる少なくとも1つの転移最小化されたＴＭＤＳを含む、１７の異なった転移最小化ＴＭＤＳからなる、請求項１１のシステム。
【請求項１７】
該選択されたコードワードは、第１ガードバンドワード及び第２ガードバンドワードを含む、少なくとも２つのガードバンドワードを含み、該ビデオコードワードの該第２バーストは初期ワードを有し、該ビデオコードワードの第２バーストの該初期ワードが該第１ガードバンドワードであり、該選択されたコードワードの該バーストは初期ワードを有し、該選択されたコードワードの該バーストの該初期ワードが該第２ガードバンドワードである、請求項１１のシステム。
【請求項１８】
該シリアルリンクがＴＭＤＳリンクであり、該選択されたコードワードは、前記第２ガードバンドワードとしてのみ用いられる転移最小化されたＴＭＤＳコードワードと、前記第１ガードバンドとして、また該選択されたコードワードの前記バースト内の該選択されたコードワードの1つとしても用いられる別の転移最小化されたＴＭＤＳコードワードとを含む、７つの異なった転移最小化ＴＭＤＳコードワードからなる、請求項１７のシステム。
【請求項１９】
該入力データは補助データであり、該送信機がビデオデータを受信するように結合され、該ビデオデータを符号化することによってビデオコードワードのシーケンスを発生させるように構成され、該送信機はまた、該ビデオコードワードの第２バーストによって後続される該選択されたコードワードの少なくとも２つのバーストによって後続される該ビデオコードワードの第１バーストを該シリアルリンクを通じて該受信機に送信するように構成され、該ビデオコードワードの各々がコードワードの該全セットのメンバーであり、該ビデオコードワードの少なくとも１つが該耐エラーサブセットのメンバーではない、請求項１のシステム。
【請求項２０】
該送信機は、制御ビットを受信するように結合されると共に該制御ビットを符号化することによって符号化された制御ワードのバーストを発生させるように構成され、かつ該ビデオコードワードの該第１バースト及び該選択されたコードワードの該バースト間の該符号化された制御ワードの第１バーストと、該選択されたコードワードの該バースト及び該ビデオコードワードの第２バースト間の該符号化された制御ワードの第２バーストとを該シリアルリンクを通じて該受信機に送信するように構成される、請求項１９のシステム。
【請求項２１】
該選択されたコードワードは少なくとも1つのガードバンドワードを含み、該選択されたコードワードの該バーストの始めの１つは初期ワードを有し、該初期ワードは該ガードバンドワードである、請求項２０のシステム。
【請求項２２】
該選択されたコードワードは少なくとも１つのガードバンドワードを含み、該選択されたコードワードの該バーストの始めの１つはワードの初期セットを有し、ワードの該初期セットの各ワードは１つの前記ガードバンドワードである、請求項２０のシステム。
【請求項２３】
該シリアルリンクがＴＭＤＳリンクである、請求項１のシステム。
【請求項２４】
該選択されたコードワードは、１７の異なったＴＭＤＳコードワードからなり、ガードバンドワードとしてのみ用いられる少なくとも1つのＴＭＤＳコードを含む、請求項２３のシステム。
【請求項２５】
該選択されたコードワードは、１７の異なった転移最小化されたＴＭＤＳコードワードからなり、ガードバンドワードとしてのみ用いられる少なくとも1つの転移最小化されたＴＭＤＳを含む、請求項２３のシステム。
【請求項２６】
該選択されたコードワードの各々がＬビット２進ワードであり、該選択されたコードワードの少なくとも1つのサブセットの各々は該入力データのＭビットワードを示し、ここではＭはＬ未満である、請求項１のシステム。
【請求項２７】
Ｌ＝１０及びＭ＝４である、請求項２６のシステム。
【請求項２８】
該送信機が該入力データの原始ワードを受信するように結合され、ここでは該原始ワードの各々はＮビット含み、ＮはＬ未満であり、ＮはＭより大きく、該原始ワードを該入力データのＭビットワード内にパックすると共に該入力データの該Ｍビットワードの各々を該選択されたコードワードの１つとして符号化するように該送信機が構成される、請求項２６のシステム。
【請求項２９】
該選択されたコードワードの各々がＬビット２進ワードであり、該選択されたコードワードは該入力データのＭビットワードを示し、ここでＭはＬ未満であり、該選択されたコードワードの第２サブセットは該入力データのＮビットワードを示し、ここでＮはＭ未満である、請求項１のシステム。
【請求項３０】
Ｌ＝１０、Ｍ＝４及びＮ＝２である、請求項２９のシステム。
【請求項３１】
コードワードの該全セットが１０ビットの転移最少化されたＴＭＤＳコードワードである、請求項１のシステム。
【請求項３２】
該選択されたコードワードの各々はＬ２進ビットのシーケンスを示し、該選抜されたワードは、該全セットの選抜されていないワードのものより平均で少ないコードワード当たりの連続０ビット及び連続１ビットを有する、請求項１のシステム。
【請求項３３】
該選択されたコードワードの各々は２進ビットの異なったシーケンスを示し、該送信機は、上昇及び下降する電圧転移のシーケンスとして選択されたコードワードのシーケンスを該シリアルリンクを通じて送信するように構成され、該選択されたコードワードは、選択された前記コードワードシーケンスの送信中該シリアルリンクの電圧ドリフトを予め決定した量に制限することによってＤＣ平衡化を実行するビットパターンを有する、請求項１のシステム。
【請求項３４】
入力データを示す選択されたコードワードのシーケンスを、シリアルリンクを通じて送信することから結果的に生じる送信されたコードワードを受信する受信機であって、該選択されたコードワードの各々はコードワードの全セットの耐エラーサブセットのメンバーであり、該全セットは予め決められた該コードワードの互いに素な集団を含み、該入力データは該全セットのコードワードの従来のシーケンスとして符号化されることが可能であり、選択されたコードワードのシーケンスは、該リンクを通じて送信中シンボル間干渉に対しては該従来のコードワードシーケンスよりも鈍感であり、該耐エラーサブセットは該全セットの選抜されたワードからなり、選抜されたコードワードではない該全セットの該コードワードは非選抜されたワードであり、該選抜ワードの各々は入力データ値を示し、該集団の各々は該選抜ワードの少なくとも１つからなる選抜されたワードセットを含み、該集団の少なくとも１つは同様に該非選抜ワードの少なくとも１つを含み、前記各選抜ワードセットは異なった入力データ値を示す受信機であって、
該送信されたコードワードを受信するために該リンクと結合されるように構成された少なくとも1つの入力と、
該入力に結合されると共に該集団の１つのメンバーである該送信されたコードワードの各々を、該集団の前記１つの該選抜されたワードセットによって決定される該入力データ値にマップするように構成された回路要素とを含む受信機。
【請求項３５】
該選抜されたワードは、該集団の任意の１つの任意の選抜されたワード及び該集団の任意の他の１つの任意の選抜されたワード間のハミング距離が閾値を超えるとの基準を満たす、請求項３４の受信機。
【請求項３６】
該選抜されたワードは、該集団の異なったもの内の該選抜されたワード間のハミング距離が実際的程度まで最大化されるとの基準を満たす、請求項３４の受信機。
【請求項３７】
エラー訂正コードブロックが該送信されたコードワードと共に送信され、
該エラー訂正コードブロックを用いて、該集団のどのメンバーでもない少なくともいくつかの該受信されたコードワードにつきエラー訂正を行うように構成されたエラー訂正回路素子であって、該選抜されたワードは、該集団の異なったもの内の該選抜されたワード間のハミング距離が実際的程度まで最小化されるとの基準を満たす、回路素子をさらに含む、請求項３４の受信機。
【請求項３８】
該シリアルリンクはＴＭＤＳリンクであり、該送信されたコードワードは１０ビットＴＭＤＳコードワードである、請求項３４の受信機。
【請求項３９】
該シリアルリンクはＴＭＤＳリンクであり、該選抜されたワードは１７の異なったＴＭＤＳコードワードからなり、ガードバンドとしてのみ用いられる少なくとも1つのＴＭＤＳコードワードを含む、請求項３４の受信機。
【請求項４０】
該選抜されたコードワードは１７の異なった転移最少化されたＴＭＤＳコードワードからなり、該ガードバンドとしてのみ用いられる少なくとも1つの移転最少化されたＴＭＤＳコードワードを含む、請求項３４の受信機。
【請求項４１】
該選択されたコードワードの各々がＬビット２進ワードである、請求項３４の受信機。
【請求項４２】
該選択されたコードワードの各々がＬビット２進ワードであり、該選択されたコードワードの少なくとも1つのサブセットの各々が該入力データのＭビットワードを示し、ここではＭはＬ未満である、請求項３４の受信機。
【請求項４３】
Ｌ＝１０及びＭ＝４である、請求項４２の受信機。
【請求項４４】
該選択されたコードワードの各々はＬビット２進ワードであり、該選択されたコードワードは該入力データのＭビットワードを示し、ここでＭはＬ未満であり、該選択されたコードワードの第２サブセットは該入力データのＮビットワードを示し、ここでＮはＭ未満である、請求項３４の受信機。
【請求項４５】
Ｌ＝１０、Ｍ＝４及びＮ＝２である、請求項３４の受信機。
【請求項４６】
該選択されたコードワードの各々はＬ２進ビットを示し、該選抜されたワードは該全セットの非選抜されたワードのものより平均で少ないコードワード当たりの連続０ビット及び連続１ビットを有する、請求項３４の受信機。
【請求項４７】
シリアルリンクを通じて符号化されたデータを送信する方法であって、
ａ）選択されたコードワードのシーケンスを該リンクを通じて送信し、該選択されたコードワードの該シーケンスは、コードワード全セットのコードワードの慣習的なシーケンスとして符号化され得る入力データのワードを示し、該選択されたコードワードの各々は該全セットの耐エラーサブセットの一メンバーであり、前記全セットは該コードワードの予め決定された互いに素な集団を含み、選択されたコードワードの該シーケンスは、該リンクを通じた送信中シンボル間干渉に対して、該慣習的なコードワードシーケンスよりも鈍感であり、該耐エラーサブセットは該全セットの選抜されたワードからなり、選抜されたワードではない該全セットの該コードワードは非選抜されたワードであり、該選抜されたワードの各々は入力データ値を示し、該集団の各々は該選抜されたワードの少なくとも1つからなる選抜されたワードセットを含み、該集団の少なくとも１つはまた該非選抜ワードの少なくとも１つを含み、前記各選抜されたワードセットは異なった入力データ値を示すようにし、
ｂ）選択されたコードワードを該シーケンスの該リンクを通じて送信することから結果的に生じる送信されたコードワードを受信し、
ｃ）該集団の1つのメンバーである該送信されたコードワードを、該集団の前記１つの該選抜されたワードセットによって決定される該入力データ値にマップすことから成る符号化データ送信方法。
【請求項４８】
前記各集団は、該集団の該選抜されたワードの１つの送信又は送信及び復号における少なくとも1つのビットエラーの結果として発生されそうである該非選抜ワードの少なくとも１つを含む、請求項４７の方法。
【請求項４９】
前記選抜されたワードセットの各々は、選抜されたワードの１つの、かつ唯1つのワードからなる、請求項４７の方法。
【請求項５０】
前記集団の各々はまた、該集団の選抜されたワードの送信又は送信及び復号における少なくとも1つのビットエラーの結果として発生されそうである該非選抜ワードの少なくとも１つをも含む、請求項４９の方法。
【請求項５１】
該選抜されたワードは、該集団の任意の１つの任意の選抜されたワードおよび該集団の任意の他の１つの任意の選抜されたワード間のハミング距離が閾値を超えるとの基準を満たす、請求項４７の方法。
【請求項５２】
該選抜されたワードは、該集団の異なったもの内の該選抜されたワード間のハミング距離が実際的程度まで最大化されるとの基準を満たす、請求項４７の方法。
【請求項５３】
選択されたコードワードのシーケンスと共に該リンクを通じてエラー訂正コードブロックを送信し、
該エラー訂正コードブロックを用いて、該集団のどのメンバーでもない送信されたコードワードの少なくともいくつかにつきエラー訂正を行い、該選抜されたワードによって該集団の異なったもの内の該選抜されたワード間のハミング距離が実際的程度まで最小化されるとの基準を満たすようにさせることをさらに含む、請求項４７の方法。
【請求項５４】
該集団の1つの非選抜されたワードである各受信されたコードワードはエラー含有ワードであり、段階ｃ）は、前記エラー含有ワードの各々を、該集団の前記1つの該選抜されたワードセットによって決定された該入力データ値にマップすることによってエラー訂正を行う、請求項４７の方法。
【請求項５５】
該入力データは補助データであり、段階ａ）は、
ビデオデータを示す該ビデオコードワードの第２バーストによって後続される該選択されたコードワードのバーストによって後続されるビデオデータを示すビデオコードワードの第１バーストを該シリアルリンクを通じて送信し、該ビデオコードワードの各々がコードワードの該全セットのメンバーであり、該ビデオコードワードの少なくとも１つが該耐エラーサブセットのメンバーではないようにすることを含む、請求項４７の方法。
【請求項５６】
段階ａ）は、
該ビデオコードワードの該第１バースト及び該符号化されたコードワードの該バースト間の符号化された制御ワードの第１バーストと、該選択されたコードワードの該バースト及び該ビデオコーデワードの該第２バースト間の符号化された制御ワードの第２バーストとを該リンクを通じて送信することをさらに含む、請求項５５の方法。
【請求項５７】
該選択されたコードワードが少なくとも1つのガードバンドワードを含み、該選択されたコードワードの該バーストは初期ワードを有し、該初期ワードは該ガードバンドワードである、請求項５６の方法。
【請求項５８】
該選択されたコードワードは少なくとも1つのガードバンドワードを含み、該選択されたコードワードの該バーストはワードの初期セットを有し、ワードの該初期セットの各ワードは前記ガードバンドワードの１つである、請求項５６の方法。
【請求項５９】
該選択されたコードワードは少なくとも１つのガードバンドワードを含み、該選択されたコードワードの該バーストは最終ワードを含み、該最終ワードは該ガードバンドワードである、請求項５６の方法。
【請求項６０】
該選択されたコードワードは少なくとも１つのガードバンドワードを含み、該選択されたコードワードの該バーストはワードの最終セットを有し、ワードの該最終セットの各ワードは１つの前記ガードバンドワードである、請求項５６の方法。
【請求項６１】
該選択されたコードワードは、ガードワードとして用いられる少なくとも1つの転移最小化されたＴＭＤＳを含む、１７の異なった転移最小化ＴＭＤＳからなる、請求項５６の方法。
【請求項６２】
該選択されたコードワードは、第１ガードバンドワード及び第２ガードバンドワードを含む、少なくとも２つのガードバンドワードを含み、該ビデオコードワードの該第２バーストは初期ワードを有し、該ビデオコードワードの該第２バーストの該初期ワードは該第１ガードバンドワードであり、該選択されたコードワードの該バーストは初期ワードを有し、該選択されたコードワードの該バーストの該初期ワードは該第２ガードバンドワードである、請求項５６の方法。
【請求項６３】
該選択されたコードワードは、１７の異なった転移最少化されたＴＭＤＳコードワードからなり、かつ前記第２ガードバンドとしてのみ用いられる1つの転移最小化ＴＭＤＳコードワードと、前記第１ガードバンドして用いられると共に該選択されたコードワードの前記バースト内の該選択されたコードワードの１つとしても用いられる別の転移最小化ＴＭＤＳコードワードとを含む、請求項６２の方法。
【請求項６４】
該選択されたコードワードは１７の異なったＴＭＤＳコードワードからなり、かつガードバンドワードとしてのみ用いられる少なくとも1つのＴＭＤＳコード含む、請求項４７の方法。
【請求項６５】
該選択されたコードワードは１７の異なった転移最小化ＴＭＤＳコードワードからなり、かつガードバンドワードとしてのみ用いられる少なくとも1つの転移最小化ＴＭＤＳを含む、請求項４７の方法。
【請求項６６】
該選択されたコードワードの各々はLビット２進ワードである、請求項４７の方法。
【請求項６７】
該選択されたコードワードの各々はＬビット２進ワードであり、該選択されたコードワードの少なくとも1つのサブセットの各々は該入力データのＭビットワードを示し、ここではＭはＬ未満である、請求項４７の方法。
【請求項６８】
Ｌ＝１０及びＭ＝４である、請求項６７の方法。
【請求項６９】
該入力データの原始ワードを与え、ここでは該原始ワードの各々はＮビット含み、ＮはＬ未満であり、ＮはＭより大きくなるようにさせ、
該原始ワードを該入力データのＭビットワード内にパックし、かつ該入力データの該Ｍビットワードの各々を該選択されたコードワードとして符号化することをさらに含む、請求項６７の方法。
【請求項７０】
該選択されたコードワードの各々はＬビット２進ワードであり、該選択されたコードワードの第１サブセットは、該入力データのＭビットワードを示し、ここでＭはＬ未満であり、該選択されたコードワードの第２サブセットは該入力データのＮビットワードを示し、ここでＮはＭ未満である、請求項４７の方法。
【請求項７１】
Ｌ＝１０、Ｍ＝４及びＮ＝２である、請求項７０の方法。
【請求項７２】
コードワードの該全セットは１０ビット転移最少化されたＴＭＤＳコードワードである、請求項４７の方法。
【請求項７３】
該選択されたコードワードの各々はＬ２進ビットを示し、該選抜されたワードは該全セットの非選抜されたワードのものより平均で少ないコードワード当たりの連続０ビット及び連続１ビットを有する、請求項４７の方法。
【請求項７４】
該選択されたコードワードの各々は２進ビットの異なったシーケンスを示し、段階ａ）は、
上昇及び下降する電圧転移のシーケンスとして選択されたコードワードのシーケンスを、該シリアルリンクを通じて送信し、該選択されたコードワードは、選択されたコードワードの前記シーケンスの送信中該シリアルリンクの電圧ドリフトを予め決定した量に制限することによってＤＣ平衡化を実行するビットパターンを有する、請求項５４の方法。
【請求項７５】
該入力データが補助データであり、段階ａ）は、
ビデオデータを示すビデオコードワードの第２バーストによって後続される、該選択されたコードワードの少なくとも２つのバーストによって後続される、ビデオデータを示すビデオコードワードの第１バーストを、該シリアルリンクを通じて送信し、該ビデオコードワードの各々はコードワードの該全セットのメンバーであり、かつ該ビデオコードワードの少なくとも１つが該耐エラーサブセットのメンバーではないようにさせることを含む、請求項４７の方法。
【手続補正２】
【補正対象書類名】明細書
【補正対象項目名】０００２
【補正方法】変更
【補正の内容】
【０００２】
【技術分野】
本発明は、送信中のシンボル間干渉又は他の誤差発生効果に起因するビット誤差率を低減させるように、符号化されたデータ（例えば、ビデオデータ及びオーディオデータ等の補助データの一方又は双方）を連続リンク、即ち、シリアルリンクを通じて送信することに関する。ある実施形態では、連続リンクは転移（過渡期）最少化された差動信号送信（ＴＭＤＳ）リンクであるか又はＴＭＤＳリンク特性の全部ではないがその或る部分を有するリンクである。